(57)【要約】【課題】操作が容易で誤操作を防止でき、しかも作業者が車輛後部の状況を把握しながら安全を確保した上で排出操作を行うことができる塵芥収集車の排出操作装置を提供する。【解決手段】車枠上に搭載された塵芥収容箱の後面開口部に塵芥積込装置を備えた塵芥投入箱が傾動可能に連設され、運転席内に設けられた排出操作装置７の操作により塵芥投入箱を上方に傾動させて塵芥収容箱の後面を開放した状態でこの塵芥収容箱内の排出板を前方から後方まで移動させて塵芥収容箱内の塵芥を外部に排出するようになされた塵芥収集車において、排出操作装置７には、中立位置から上下左右への４方向の操作が可能な操作レバー７２が設けられ、操作レバー７２は、上下もしくは左右への一方の２方向への操作により塵芥投入箱の上方への傾動と伏倒が、また、上下もしくは左右への他方の２方向への操作により排出板の前方と後方への移動が行われるように構成されている。【選択図】  図２
2005330071.tif 000002
【特許請求の範囲】
【請求項１】
車枠上に搭載された塵芥収容箱の後面開口部に塵芥積込装置を備えた塵芥投入箱が傾動可能に連設されるとともに、上記塵芥収容箱内に排出板が前後に摺動自在に設けられ、運転席内に設けられた排出操作装置の操作により塵芥投入箱を上方に傾動させて塵芥収容箱の後面を開放した状態で排出板を前方から後方まで移動させることによって塵芥収容箱内の塵芥を外部に排出するようになされた塵芥収集車において、
前記排出操作装置には、中立位置から上下左右への４方向の操作が可能な操作レバーが設けられ、当該操作レバーは、上下もしくは左右への一方の２方向への操作により塵芥投入箱の上方への傾動と伏倒が、また、上下もしくは左右への他方の２方向への操作により排出板の前方と後方への移動が行われるように構成されたことを特徴とする塵芥収集車の排出操作装置。
【請求項２】
前記排出操作装置には、積込動作と排出動作を切り替える切替スイッチが備えられるとともに、前記塵芥投入箱を傾動させた状態で塵芥積込装置を作動させるかき出し動作を行うかき出しスイッチが設けられ、当該かき出しスイッチはかき出し動作を停止させる停止スイッチとしても併用されるように構成されたことを特徴とする請求項１記載の塵芥収集車の排出操作装置。
【請求項３】
少なくとも前記操作レバーが無線操作可能なように操作装置本体から着脱自在に構成されたことを特徴とする請求項１又は２記載の塵芥収集車の排出操作装置。
【発明の詳細な説明】
【技術分野】
【０００１】
本発明は、塵芥収集車において、塵芥収容箱内に収容された塵芥の排出操作などを行う排出操作装置に関する。
【背景技術】
【０００２】
従来、塵芥収集車としては、車枠上に搭載された塵芥収容箱の後面開口部に塵芥積込装置を備えた塵芥投入箱が傾動可能に連設されるとともに、塵芥収容箱に排出板が前後に摺動自在に設けられている。
【０００３】
そして、塵芥積込装置による塵芥の積込みに伴って排出板を順次前方に移動させることで塵芥を塵芥収容箱に圧縮しながら積込むとともに、塵芥投入箱を上方に傾動させて塵芥収容箱の後部を開放した状態で排出板を後方まで移動させることによって塵芥を外部に排出している（例えば、特許文献１参照。）。
【０００４】
ところで、上述した塵芥収容箱内の塵芥の排出は、運転席内に設けられた排出操作装置の操作によって行われている。
【０００５】
この排出操作装置には、図５に示すように、操作装置本体ａに３つの第１〜第３操作スイッチｂ、ｃ、ｄが設けられている。第１操作スイッチｂは上下２位置に操作することで積込動作と排出動作を切り替る。また、第２、第３操作スイッチｃ、ｄは中立位置から上下２方向に操作可能になされ、第２操作スイッチｃを上方に操作することで塵芥投入箱の上方への傾動動作を行い、第２操作スイッチｃを下方に操作することで塵芥投入箱の伏倒動作を行い、第３操作スイッチｄを上方に操作することで排出板の後方への移動を行い、第３操作スイッチｄを下方に操作することで排出板の前方への移動を行うようになされている。
【０００６】
また、排出操作装置には、上記操作スイッチの他、塵芥投入箱を傾動させた状態で塵芥積込装置を作動させてかき出し動作を行うためのかき出しスイッチｅと、このかき出し動作を停止させる停止スイッチｆが設けられるとともに、各種のパイロットランプｇが設けられている。
【特許文献１】特開２０００−２１９３０３号公報
【発明の開示】
【発明が解決しようとする課題】
【０００７】
しかしながら、上記従来のような排出操作装置では、比較的小さい操作装置本体ａに３個の操作スイッチｂ〜ｄが隣接して設けられていることから、操作しようとする操作スイッチとは違う操作スイッチを誤って操作してしまったり、また、排出板を前後水平方向に移動させるにもかかわらずスイッチ操作は第３操作スイッチｄを上下方向に操作することから操作方向を上下誤って操作してしまい、誤動作を招く虞が多分にあり、安全上好ましくないという問題があった。
【０００８】
また、この排出操作装置は、運転席内に固定して設けられているため、作業者は運転席内かあるいは運転席を下りたとしても当該運転席に近いところで排出操作装置を操作しなければならない。このため作業者は車輛後部の状況を把握しずらく、人や物があった場合でもこれにわからずに排出操作をしてしまって事故を招く危険が非常に大きかった。
【０００９】
本発明は、上記問題点に鑑みてなされたもので、その目的とするところは、操作が容易で誤操作を防止でき、しかも作業者が車輛後部の状況を把握しながら安全を確保した上で排出操作を行うことができる塵芥収集車の排出操作装置を提供することにある。
【課題を解決するための手段】
【００１０】
上記の目的を達成するため、請求項１に係る発明の塵芥収集車の排出操作装置は、車枠上に搭載された塵芥収容箱の後面開口部に塵芥積込装置を備えた塵芥投入箱が傾動可能に連設されるとともに、上記塵芥収容箱内に排出板が前後に摺動自在に設けられ、運転席内に設けられた排出操作装置の操作により塵芥投入箱を上方に傾動させて塵芥収容箱の後面を開放した状態で排出板を前方から後方まで移動させることによって塵芥収容箱内の塵芥を外部に排出するようになされた塵芥収集車において、前記排出操作装置には、中立位置から上下左右への４方向の操作が可能な操作レバーが設けられ、当該操作レバーは、上下もしくは左右への一方の２方向への操作により塵芥投入箱の上方への傾動と伏倒が、また、上下もしくは左右への他方の２方向への操作により排出板の前方と後方への移動が行われるように構成されたものである。
【００１１】
請求項２に係る発明の塵芥収集車の排出操作装置は、前記排出操作装置には、積込動作と排出動作を切り替える切替スイッチが備えられるとともに、前記塵芥投入箱を傾動させた状態で塵芥積込装置を作動させるかき出し動作を行うかき出しスイッチが設けられ、当該かき出しスイッチはかき出し動作を停止させる停止スイッチとしても併用されるように構成されたものである。
【００１２】
請求項３に係る発明の塵芥収集車の排出操作装置は、少なくとも前記操作レバーが無線操作可能なように操作装置本体から着脱自在に構成されたものである。
【発明の効果】
【００１３】
本発明によれば、１つの操作レバーで塵芥投入箱の傾倒と排出板の前後移動を操作することで、操作を容易に行うことができ操作性の向上を図ることができるとともに、誤操作の防止も図ることができる。
【００１４】
また、少なくとも前記操作レバーを無線操作可能なように操作装置本体から着脱自在に構成したことで、作業者は運転席から車輛後部の状況を把握し易いところまで外部に持ち出して操作レバーを操作することができ、これにより車輛後部での事故の発生を未然に防止することができ高い安全性を確保することができる。
【発明を実施するための最良の形態】
【００１５】
以下、本発明の実施の形態について図面を参照して説明する。
【００１６】
図１は、本発明に係る塵芥収集車の全体構成を示している。
【００１７】
図１において、１は、車輌の車枠であって、この車枠１の前部には運転席２が配置されるとともに、その後部に塵芥収容箱３が搭載されている。
【００１８】
塵芥収容箱３の後面は開放された開口部になされており、この開口部には塵芥投入箱５が当該塵芥投入箱５と塵芥収容箱３との間に連結された図示しない傾動シリンダにより枢軸４を以て傾動可能に連設されている。
【００１９】
塵芥投入箱５内には図示しない従来周知の塵芥積込装置が装備されており、当該塵芥積込装置により塵芥投入箱５の後部に形成された投入部５１から投入した塵芥を塵芥収容箱３に積込むようになされている。
【００２０】
一方、前記塵芥収容箱３内には、排出板６が前後方向に摺動自在に配設され、塵芥収容箱３の前部と排出板６との間に設けられた図示しない排出シリンダの伸縮動作により排出板６が塵芥収容箱３内を前後方向に往復動自在に設けられている。
【００２１】
従って、塵芥積込装置による塵芥収容箱３内への塵芥の積込みにより前記排出板６に所定圧以上の反力が作用した場合に、この排出板６を順次前方に移動させることで塵芥を塵芥収容箱３に高密度に圧縮して積込むことができる。また、塵芥投入箱５を上方に傾動させて塵芥収容箱３の後面を開放した状態で排出板６を前方から後方まで移動させることによって塵芥を外部に排出するようにしている。
【００２２】
また、運転席２内には、図２に示すような排出操作装置７が設けられており、この排出操作装置７によって上述した塵芥投入箱５の傾動動作や排出板６の前後移動などが行われるようになされている。
【００２３】
排出操作装置７は、具体的には、その操作装置本体７１に操作レバー７２と、かき出しスイッチ７３と、切替スイッチ７４と、各種のパイロットランプ７５とを備えている。
【００２４】
操作レバー７２は、中立位置から上下左右への４方向の操作が可能になされており、例えば図３に示すように中立位置から上方に操作することで前記傾動シリンダを伸長作動させて塵芥投入箱５を上方に傾動させるとともに、中立位置から下方に操作することで傾動シリンダを縮退作動させて塵芥投入箱５を元の状態まで伏倒させ、また、中立位置から左方に操作することで排出シリンダを縮退作動させて排出板６を前方に移動させるとともに、中立位置から右方に操作することで排出シリンダを伸長作動させて排出板６を後方に移動させるようにしている。
【００２５】
従って、塵芥収容箱３内に収容した塵芥の排出は、まず操作レバー７２を上方に操作して塵芥投入箱５を上方に傾動させ、この後操作レバー７２を左方に操作して排出板６を後方に移動させることで行うことができる。
【００２６】
このように１つの操作レバー７２で塵芥投入箱５の傾倒と排出板２の前後移動を操作することで操作を容易に行うことができ操作性の向上を図ることができる。また、操作レバー７２の上下操作によりそれに相当する塵芥投入箱５の傾倒を、並びに操作レバー７２の左右操作によりそれに相当する排出板６の水平方向前後への移動を行うようにすることで、作業者は塵芥投入箱５の傾倒操作と排出板６の前後移動操作を感覚的にとらえることができ、これによって誤操作防止を図ることができ安全性を高めることができる。
【００２７】
なお、前記操作レバー７２は、上述した上下左右の４方向以外には傾倒させることができない。つまり上方向と右方向の間というような中間方向への傾倒ができなく、これにより塵芥投入箱５の傾動と排出板６の移動とが同時に作動することがなく、誤操作による誤動作を防止している。
【００２８】
また、かき出しスイッチ７３は、塵芥投入箱５を傾動させた状態で塵芥積込装置を作動させて当該塵芥投入箱５内に残っている塵芥を外部にかき出すためのもので、例えばこのスイッチを一回押すことで上記塵芥積込装置を作動させ、続いて再度スイッチを押すことで塵芥積込装置の作動を停止させるようにしている。つまり、かき込み作動とその停止とを１つのかき出しスイッチで併用するようにしている。このように１つのスイッチに作動と停止の２つの機能を集約することで、スイッチの数を削減して排出操作装置７のコンパクト化を図ることができるとともに、前記操作レバー７２と相まってさらに操作性の向上をも図ることができる。
【００２９】
前記切替スイッチ７４は、積込動作と排出動作を切り替えるためのもので、排出動作に切り替えることで前述した操作レバー７２とかき出しスイッチ７３との操作による塵芥の排出動作などを可能にするとともに、積込動作に切り替えることで後述する積込操作装置８による塵芥積込装置の作動を可能にするようにしている。
【００３０】
前記各種のパイロットランプ７５は、メインスイッチＯＮや、塵芥収容箱３に塵芥投入箱５がロック状態であることなどをこれらの点灯によって表示するようにしている。
【００３１】
なお、図１における符号８は塵芥投入箱５の投入部５１の側方に設けられた積込操作装置であり、この積込操作装置８によって前記塵芥積込装置の始動や非常停止など各操作が行われる。
【００３２】
さらに、図４に示すように前記操作レバー７２とかき出しスイッチ７３とを備えた操作部７６は、操作装置本体７１から着脱自在に構成されており、操作レバー７２とかき出しスイッチ７３との操作は無線操作により前述した塵芥の排出動作などができるようになされている。
【００３３】
従って、作業者は操作部７６を操作装置本体７１から取り外すことで運転席２から車輛後部の状況を把握し易いところまで外部に持ち出して操作することができ、このように車輛後部での安全な状態を確認しながら操作を行うことで事故の発生を未然に防止することができ高い安全性を確保することができる。また、運転席２内における従来の操作も可能であるため状況に応じた幅広い操作が可能になる。
【図面の簡単な説明】
【００３４】
【図１】塵芥収集車を示す側面図である。
【図２】排出操作装置を示す正面図である。
【図３】排出操作装置に備えられた操作レバーよる操作を示す概略図である。
【図４】操作装置本体から操作部を分離した状態の排出操作装置を示す正面図である。
【図５】従来の排出操作装置を示す斜視図である。
【符号の説明】
【００３５】
１  車枠
２  運転席
３  塵芥収容箱
５  塵芥投入箱
６  排出板
７  排出操作装置
７１  操作装置本体
７２  操作レバー
７３  かき出し装置
７４  切替スイッチ
【図１】
2005330071.tif 000003
【図２】
2005330071.tif 000004
【図３】
2005330071.tif 000005
【図４】
2005330071.tif 000006
【図５】
2005330071.tif 000007